(57)【要約】【解決課題】  環境にやさしい手提げ袋などの袋を提供する。【解決手段】  表示したいロゴマークなどを，インクで描くのではなく，エンボスにて形成した袋。【選択図】図１
2020204199.tif 000002
【特許請求の範囲】
【請求項１】
袋（１）であって，
袋（１）は，その一部又は全面に１つ又は連続したエンボス（３）を有し，
前記１つ又は連続したエンボスを構成する単位エンボスは，ロゴマークを含む，袋。
【請求項２】
請求項１に記載の袋であって，
プラスチック製である袋。
【請求項３】
請求項１に記載の袋であって，
前記連続したエンボスは，袋の全面に存在する，袋。
【請求項４】
請求項１に記載の袋であって，
前記ロゴマークは，日本有機資源協会によるバイオマスマーク，又は日本バイオプラスチック協会によるバイオマスプラのシンボルマークの形状を有する，袋。
【請求項５】
請求項１に記載の袋であって，
前記ロゴマークにより，インクの代わりに袋の原材料情報や特長を表記することができる，袋。
【請求項６】
請求項１に記載の袋であって，生分解性プラスチックからなる袋。
【請求項７】
請求項１に記載の袋であって，前記エンボス（３）は複数の凹凸の列を含む，袋。
【請求項８】
１つ又は連続したエンボス（３）を有するフィルムであって， 
前記１つ又は連続したエンボスを構成する単位エンボスは，ロゴマークを含む，フィルム。
【発明の詳細な説明】
【技術分野】
【０００１】
この発明は，エンボスを有する袋に関する。
【背景技術】
【０００２】
例えば，特開２００３−１４４２１６号公報には，手提げ袋が記載され，その段落［００１４］には，記号やイラストを描画することが記載されている。記号（ロゴなど）やイラストを手提げ袋に描画することは，記号の持つ意味を表示でき，手提げ袋の美観を向上させ、袋に関する情報を表現することができる。
【先行技術文献】
【特許文献】
【０００３】
【特許文献１】特開２００３−１４４２１６号公報
【発明の概要】
【発明が解決しようとする課題】
【０００４】
一方，袋に記号やイラストを描画すると，インク等のコストがかかり，さらにはリサイクルの際に袋を構成する物質以外の物質が存在することとなるため，リサイクルに適さず，また環境にやさしくない。  
【課題を解決するための手段】
【０００５】
上記の課題を解決するため，この発明は，袋に対し，ロゴなどをエンボス加工することとした。エンボス加工であれば，袋に対し，インクを固着させる必要がないので，袋の製造コストを抑えることができ，しかもリサイクルしやすい袋を提供できることとなる。つまり，この発明は，表示したいロゴマークなどを，インクで描くのではなく，エンボスにて形成した袋に関する。【０００６】
この発明は，袋１に関する。袋１は，その一部又は全面に１つ又は連続したエンボス３を有する。そして，１つ又は連続したエンボスを構成する単位エンボスは，ロゴマークを含む。この発明の特徴のひとつは，ロゴマークにより，インクの代わりに袋の原材料情報や特長を表記することができる袋である点である。【０００７】
好ましい袋１は，連続したエンボスが，袋の全面に存在するものである。【０００８】
ロゴマークの例は，日本有機資源協会によるバイオマスマーク，又は日本バイオプラスチック協会によるバイオマスプラのシンボルマークの形状を有するものである。【０００９】
好ましい袋１は，生分解性プラスチックからなる袋である。好ましい袋は，エンボス（３）が複数の凹凸の列を含むものである。【００１０】
この明細書に記載されるある発明は，上記の袋を得るためのフィルムに関する。このフィルムは，１つ又は連続したエンボス３を有するフィルムであって，１つ又は連続したエンボスを構成する単位エンボスは，ロゴマークを含む。
【発明の効果】
【００１１】
この発明によれば，ロゴマークを印刷せずにエンボスにしたので，インク等を用いずに，ある記号のイメージを表示できる。また，袋の原材料に関する情報を表記でき、製造コストの軽減や環境にやさしい袋を提供できる。
【図面の簡単な説明】
【００１２】
【図１】図１は，エンボスを有する袋を説明するための概念図である。
【図２】図２は，複数の連続したエンボスを有する袋を説明するための概念図である。
【図３】図３は，複数種類のロゴマークの形状を有するエンボスを有する袋を説明するための概念図である。
【図４】図４は，全面にエンボスを設けた袋の設計図の例である。
【図５】図５は，実際に製造した袋の図面に替わる写真である。
【発明を実施するための形態】
【００１３】
以下，図面を用いて本発明を実施するための形態について説明する。本発明は，以下に説明する形態に限定されるものではなく，以下の形態から当業者が自明な範囲で適宜修正したものも含む。
【００１４】
図１は，エンボスを有する袋を説明するための概念図である。図２は，複数の連続したエンボスを有する袋を説明するための概念図である。この発明は，袋１に関する。袋の例は手提げ袋である。もっとも，本発明は，手提げ袋に限定されず，ごみ袋、規格袋、キッチン袋などの平袋も含む。手提げ袋は，手提袋，手携袋，レジ袋，ファッション袋及び取っ手が紐状となっているループ袋などともよばれる。手提げ袋や平袋の主な素材が樹脂（プラスチック）又は紙である。手提げ袋は，本体部に荷物を収容し，把持部を把持することで，荷物を持ち運ぶことができるものである。特に好ましい袋は，プラスチック製（例えば，ポリエチレン製，ポリプロピレン製，ＰＥＴ製，ナイロン製，生分解性プラスチック製)のである。袋自体は，公知であるから公知の方法により製造できる。
【００１５】
袋の素材の例は，生分解性プラスチックである。生分解性プラスチックは公知である。生分解性プラスチックの例は，ポリ乳酸，でんぷん，セルロース，ＰＶＡ，ＰＨＢＨ，ＰＢＳ又はポリカプロラクタンを主成分とするものである。好ましい袋は，エンボス（３）が複数の凹凸の列を含むものである。このような凹凸をあえて設けることで，ロゴ部分が乱反射し，視認しやすくなる。凹凸の例は，矩形状のものであってもよいし，複数の山部と谷部とを有するものであってもよい。凹凸はストライプ状であってもよい。凹凸がストライプ状の場合，凹凸の周期の例は，０．１μｍ以上１ｍｍ以下であり，１μｍ以上０．１ｍｍ以下であってもよい。凹凸の高さの例は，０．１μｍ以上０．１ｍｍ以下であり，１μｍ以上１０μｍ以下であってもよい。
【００１６】
図１及び図２に示されるように，袋１は，その一部又は全面に１つ又は連続したエンボス３を有する。そして，１つ又は連続したエンボスを構成する単位エンボスは，ロゴマークを含む，ロゴマークは，特定の記号であったり，イラストを意味する。ロゴマークの例は，日本有機資源協会によるバイオマスマーク，又は日本バイオプラスチック協会によるバイオマスプラのシンボルマークの形状である。ロゴマークの別の例は，企業のハウスマークである。また，何か訴えたいメッセージがある場合，それをロゴマークとして，エンボスを形成してもよい。いずれにせよ，インクを用いず，エンボスにて表現することで，環境にやさしく，リサイクルもしやすい袋を製造できる。また，袋には，上記のバイオマスマークやバイオマスプラのシンボルマークのように，使用原料を示す記号を表示することがある。この発明では，そのような使用原料を示すものを印刷ではなく，エンボスにて表現できる。先に説明した通り，この発明の特徴のひとつは，ロゴマークにより，インクの代わりに袋の原材料情報や特長を表記することができる袋である点である。
【００１７】
ロゴマークの例は，グリーンプラマーク，
Ｖｉｎｃｏｔｔｅが認証した製品に付与しているマークである「ｃｏｍｐｏｓｔａｂｌｅ」，「ＯＫ Ｃｏｍｐｏｓｔ」，「ＯＫ Ｂｉｏｄｅｇｒａｄａｂｌｅ ＭＡＲＩＮＥ」，「ＯＫ ｂｉｏｄｅｇｒａｄａｂｌｅ ＳＯＩＬ」及び「ＯＫ ｂｉｏｄｅｇｒａｄａｂｌｅ ＷＡＴＥＲ」，
ＢＰＩ  （Ｂｉｏｄｅｇｒａｄａｂｌｅ  Ｐｒｏｄｕｃｔｓ  Ｉｎｓｔｉｔｕｔｅ）が認証した製品に付与しているマークである「ＢＰＩ ｃｏｍｐｏｓｔａｂｌｅ」，及びＤＩＮ ＣＥＲＴＣＯが認証した製品に付与しているマークである「Ｂｉｏｄｅｇｒａｄａｂｌｅ ｉｎ Ｓｏｉｌ」である。
【００１８】
図３は，複数種類のロゴマークの形状を有するエンボスを有する袋を説明するための概念図である。図３の例では，バイオマスマーク３ａ，バイオマスプラマーク３ｂ，グリーンプラマーク３ｃ，エコマーク３ｄ及びプラスチック製容器包装識別マーク３ｅの形状を有するエンボスが形成されている。
【００１９】
それぞれのエンボスは，フィルム加工をする際に，エンボスの形状に対応した凹凸を有するローラを通過させることで容易に形成することができる。エンボスは，周囲の部分より，高くされている部位又は低くされている部位により，形成されればよい。エンボスは周囲の部分より，０．０１ｍｍ以上２ｍｍ高いか又は低いことにより形成されてもよいし，０．１ｍｍ以上１ｍｍ以下高いか又は低いことにより形成されてもよい。
【００２０】
この発明の袋は，その表面にエンボスが形成されているので，複数の袋が重なった状態で頒布された後も，１枚ずつ取り出しやすい。
【実施例】
【００２１】
実際にエンボスが形成された袋を製造した。
図４は，全面にエンボスを設けた袋の設計図の例である。図５は，実際に製造した袋の図面に替わる写真である。
【産業上の利用可能性】
【００２２】
この発明は，袋産業において利用され得る。
【符号の説明】
【００２３】
１  袋
３  エンボス
【図１】
2020204199.tif 000003
【図２】
2020204199.tif 000004
【図３】
2020204199.tif 000005
【図４】
2020204199.tif 000006
【図５】
2020204199.tif 000007
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
袋（１）であって，
袋（１）は，その一部又は全面に１つ又は連続したエンボス（３）を有し，
前記１つ又は複数のエンボス（３）は，複数の凹凸の列を含み，
前記１つ又は連続したエンボスを構成する単位エンボスは，ロゴマークを含む，袋。
【請求項２】
請求項１に記載の袋であって，
プラスチック製である袋。
【請求項３】
請求項１に記載の袋であって，
前記連続したエンボスは，袋の全面に存在する，袋。
【請求項４】
請求項１に記載の袋であって，
前記ロゴマークは，日本有機資源協会によるバイオマスマーク，又は日本バイオプラスチック協会によるバイオマスプラのシンボルマークの形状を有する，袋。
【請求項５】
請求項１に記載の袋であって，
前記ロゴマークにより，インクの代わりに袋の原材料情報や特長を表記することができる，袋。
【請求項６】
請求項１に記載の袋であって，生分解性プラスチックからなる袋。
【請求項７】
請求項１に記載の袋であって，前記エンボス（３）は複数の凹凸の列を含む，袋。
【請求項８】
１つ又は連続したエンボス（３）を有するフィルムであって，
前記１つ又は複数のエンボス（３）は，複数の凹凸の列を含み，
前記１つ又は連続したエンボスを構成する単位エンボスは，ロゴマークを含む，フィルム。
【請求項９】
請求項１に記載の袋であって，前記複数の凹凸の列は，凹凸の周期が，０．１μｍ以上１ｍｍ以下であり，前記凹凸は，０．１μｍ以上０．１ｍｍ以下である，袋。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
袋（１）であって，
袋（１）は，その一部又は全面に１つ又は連続したエンボス（３）を有し，
前記１つ又は複数のエンボス（３）は，複数の凹凸の列を含み，
前記１つ又は連続したエンボスを構成する単位エンボスは，ロゴマークを含み，
前記複数の凹凸の列は，凹凸の周期が，０．１μｍ以上１ｍｍ以下であり，前記凹凸は，０．１μｍ以上０．１ｍｍ以下である，袋。
【請求項２】
請求項１に記載の袋であって，
プラスチック製である袋。
【請求項３】
請求項１に記載の袋であって，
前記連続したエンボスは，袋の全面に存在する，袋。
【請求項４】
請求項１に記載の袋であって，
前記ロゴマークは，日本有機資源協会によるバイオマスマーク，又は日本バイオプラスチック協会によるバイオマスプラのシンボルマークの形状を有する，袋。
【請求項５】
請求項１に記載の袋であって，
前記ロゴマークにより，インクの代わりに袋の原材料情報や特長を表記することができる，袋。
【請求項６】
請求項１に記載の袋であって，生分解性プラスチックからなる袋。
【請求項７】
請求項１に記載の袋であって，前記エンボス（３）は複数の凹凸の列を含む，袋。
【請求項８】
１つ又は連続したエンボス（３）を有するフィルムであって，
前記１つ又は複数のエンボス（３）は，複数の凹凸の列を含み，
前記１つ又は連続したエンボスを構成する単位エンボスは，ロゴマークを含み，
前記複数の凹凸の列は，凹凸の周期が，０．１μｍ以上１ｍｍ以下であり，前記凹凸は，０．１μｍ以上０．１ｍｍ以下である，フィルム。
【国際調査報告】
2020204199.tif 000008
2020204199.tif 000009
2020204199.tif 000010
2020204199.tif 000011
2020204199.tif 000012
2020204199.tif 000013